(57)【特許請求の範囲】
【請求項１】
ディスク種類の判別動作を順次行う判別手段と、
再生又は記録が行われるディスク種類を予想し、予想結果に基づいて、前記判別手段のディスク種類判別動作の順序を決定する判別制御手段とを備え、
前記判別制御手段は、再生又は記録が行われる可能性が大きいディスク種類の判別動作を最後に行わせることを特徴とするディスク装置。
【請求項２】
ディスクの各種類に対応するレーザ光を照射する複数のレーザ源を備え、
前記判別手段は、前記判別動作では、前記複数のレーザ源を順次駆動することを特徴とする請求項１記載のディスク装置。
【請求項３】
前記判別手段によるディスク種類の判別後、再生又は記録動作が行えないことを検出する検出手段と、
前記再生又は記録動作が行えない場合、前記レーザ源を切り替えて再生又は記録動作を行わせる再生記録制御手段とを備えることを特徴とする請求項２記載のディスク装置。
【請求項４】
ディスク種類の判別動作を順次行う判別手段に判別動作指示を出力する判別制御装置であって、
再生又は記録が行われるディスク種類を予想し、予想結果に基づいて、前記判別手段のディスク種類判別動作の順序を決定し、再生又は記録が行われる可能性が大きいディスク種類の判別動作を最後に行わせることを特徴とする判別制御装置。
【請求項５】
ディスク種類の判別動作を順次行う判別手段と、
過去の再生又は記録状況に応じて、前記判別手段のディスク種類判別動作の順序を決定する判別制御手段とを備え、
前記判別制御手段は、再生又は記録が行われる可能性が大きいディスク種類の判別動作を最後に行わせることを特徴とするディスク装置。
【発明の詳細な説明】
【０００１】
【発明の属する技術分野】
本発明は、光ディスクおよび光磁気ディスクなどのディスクの再生または記録のいずれか少なくとも一方を行うためのディスク装置および判別制御装置に関する。
【０００２】
【従来の技術】
コンパクトディスク（ＣＤ）とデジタルビデオディスク（ＤＶＤ）とを共用して再生するデッキでは、これらのディスクを再生するにあたり、そのディスクの種類を個別的に判別し、各種類に対応したレーザ源から、相互に波長が異なるレーザ光を照射し、読取り動作を行う必要がある。ＣＤに比べてＤＶＤでは、記録密度が高く、しかも反射率が低いので、ＣＤの再生時に比べて、ＤＶＤの再生時には、短波長を有しかつ大出力のレーザ光を用いなければならない。したがってＣＤ再生時とＤＶＤ再生時とに、２種類のレーザ源を使い分けるように構成される。
【０００３】
先行技術では、ディスクの種類がＣＤであるか、またはＤＶＤであるかを判別するために、前述の２つの各レーザ源を予め定める固定的な順序で駆動し、こうして得られる反射光のレベルを演算する。このような先行技術では、デッキにＤＶＤが装填されている状態で、先ずＤＶＤ用レーザ源が駆動されてＤＶＤの起動状態とされ、次にＣＤ用レーザ源が駆動されてＣＤの起動状態とされ、その結果、装填されたディスクの種類がＤＶＤであることが判別されると、再びＤＶＤ用レーザ源が駆動されてＤＶＤの起動状態となり、ＤＶＤが再生される。したがって先行技術では、ＤＶＤがデッキに装填されているとき、ＤＶＤの再生にあたっては、ＤＶＤの起動動作が、合計２回、実施されることになる。したがってＤＶＤの装填後、再生の開始までに時間がかかるという問題がある。
【０００４】
【発明が解決しようとする課題】
本発明の目的は、ＣＤ，ＤＶＤなどの光ディスクおよび光磁気ディスクなどの複数種類のディスクが共用されて再生または記録の少なくともいずれか一方が行われるディスク装置において、ディスクの種類の自動的な判別を行って迅速に再生または記録を行うことができるようにしたディスク装置および判別制御装置を提供することである。
【０００５】
【課題を解決するための手段】
本発明は、ディスク種類の判別動作を順次行う判別手段と、
再生又は記録が行われるディスク種類を予想し、予想結果に基づいて、前記判別手段のディスク種類判別動作の順序を決定する判別制御手段とを備え、
前記判別制御手段は、再生又は記録が行われる可能性が大きいディスク種類の判別動作を最後に行わせることを特徴とするディスク装置である。
【０００６】
本発明に従えば、判別手段は、ディスク種類の判別動作を順次行い、判別制御手段は、再生又は記録が行われるディスク種類を予想し、予想結果に基づいて、判別手段のディスク種類判別動作の順序を決定する。これによって、再生又は記録が行われるディスク種類として判別制御手段によって予想されたディスク種類に対応する判別動作が判別手段によって実行され、そのディスク種類が判別されたとき、そのディスク種類の判別動作をそのまま継続して再生又は記録の動作に移行することができるので、前述の先行技術に関連して述べた各種類毎のディスクの起動動作を、たとえば２回、行う必要がなくなる。したがってディスクの再生又は記録にあたり、起動に要する時間を短縮することができる。
【０００８】
また、判別制御手段は、ディスクの各種類に対応する前述の判別動作のうち、再生又は記録が行われる可能性が大きいディスク種類に対応する判別動作を、複数の時間順次的な判別動作の実行にあたり、最後に実行させる。したがって判別された種類が、再生又は記録が行われる可能性が大きいディスク種類に一致しているとき、最後に実行された判別動作をそのまま継続して再生又は記録の動作に移行することができ、前述の先行技術に関連して述べた各種類毎のディスクの起動動作を、たとえば２回、行う必要がなくなる。たとえば再生又は記録が行われる可能性が大きいディスクが、ＤＶＤであって、このＤＶＤが装填されてＤＶＤの種類が判別されたとき、ＤＶＤに対応するレーザ源が、種類判別のために最後に駆動され、そのＤＶＤに対応するレーザ源がそのまま駆動された状態で、再生又は記録動作を引続き行うことができる。したがって使用頻度が高いディスクの再生又は記録にあたり、起動に要する時間を短縮することができる。
【００１０】
また本発明は、ディスクの各種類に対応するレーザ光を照射する複数のレーザ源を備え、
前記判別手段は、前記判別動作では、前記複数のレーザ源を順次駆動することを特徴とする。
【００１１】
本発明に従えば、複数のレーザ源は、ディスクの各種類に対応するレーザ光を照射し、判別手段は、判別動作では、複数のレーザ源を順次駆動する。これによって各レーザ源からのレーザ光を、種類が判別されるべきディスクに照射して種類の判別動作を行うことができる。したがってディスクの反射率が近似していても、種類判別を正確に行うことができるようになる。また本発明では、ディスクの厚み方向片側に単層の記録層が形成された単層ディスクと、複数層の記録層が形成された多層ディスクの種類の判別をも行うことができる。
【００１２】
また本発明では、判別手段では、ディスクの種類に対応したレーザ源が用いられて、ディスクの種類が判別されるだけでなく、そのほかの構成によって、たとえばディスクの種類に対応した焦点距離を有する対物レンズを選択的に用いて共通のレーザ源からのレーザ光をディスクに照射する構成、およびそのほかの構成に関連してもまた、本発明は実施される。
【００１４】
また本発明は、前記判別手段によるディスク種類の判別後、再生又は記録動作が行えないことを検出する検出手段と、
前記再生又は記録動作が行えない場合、前記レーザ源を切り替えて再生又は記録動作を行わせる再生記録制御手段とを備えることを特徴とする。
【００１５】
本発明に従えば、検出手段は、判別手段によるディスク種類の判別後、再生又は記録動作が行えないことを検出し、再生記録制御手段は、再生又は記録動作が行えない場合、レーザ源を切り替えて再生又は記録動作を行わせる。これによってディスクの種類の判別が誤りであっても、ディスクの再生又は記録を行うことができる。
【００１６】
また本発明は、ディスク種類の判別動作を順次行う判別手段に判別動作指示を出力する判別制御装置であって、
再生又は記録が行われるディスク種類を予想し、予想結果に基づいて、前記判別手段のディスク種類判別動作の順序を決定し、再生又は記録が行われる可能性が大きいディスク種類の判別動作を最後に行わせることを特徴とする判別制御装置である。
【００１７】
本発明に従えば、再生又は記録が行われるディスク種類を予想し、予想結果に基づいて、判別手段のディスク種類判別動作の順序を決定し、ディスク種類の判別動作を順次行う判別手段に判別動作指示を出力する。これによって、再生又は記録が行われるディスク種類として予想されたディスク種類に対応する判別動作が判別手段によって実行され、そのディスク種類が判別されたとき、そのディスク種類の判別動作をそのまま継続して再生又は記録の動作に移行することができるので、前述の先行技術に関連して述べた各種類毎のディスクの起動動作を、たとえば２回、行う必要がなくなる。したがってディスクの再生又は記録にあたり、起動に要する時間を短縮することができる。
さらに、ディスクの各種類に対応する前述の判別動作のうち、再生又は記録が行われる可能性が大きいディスク種類に対応する判別動作を、複数の時間順次的な判別動作の実行にあたり、最後に実行させる。したがって判別された種類が、再生又は記録が行われる可能性が大きいディスク種類に一致しているとき、最後に実行された判別動作をそのまま継続して再生又は記録の動作に移行することができ、前述の先行技術に関連して述べた各種類毎のディスクの起動動作を、たとえば２回、行う必要がなくなる。たとえば再生又は記録が行われる可能性が大きいディスクが、ＤＶＤであって、このＤＶＤが装填されてＤＶＤの種類が判別されたとき、ＤＶＤに対応するレーザ源が、種類判別のために最後に駆動され、そのＤＶＤに対応するレーザ源がそのまま駆動された状態で、再生又は記録動作を引続き行うことができる。したがって使用頻度が高いディスクの再生又は記録にあたり、起動に要する時間を短縮することができる。
【００１８】
また本発明は、ディスク種類の判別動作を順次行う判別手段と、
過去の再生又は記録状況に応じて、前記判別手段のディスク種類判別動作の順序を決定する判別制御手段とを備え、
前記判別制御手段は、再生又は記録が行われる可能性が大きいディスク種類の判別動作を最後に行わせることを特徴とするディスク装置である。
【００１９】
本発明に従えば、判別手段は、ディスク種類の判別動作を順次行い、判別制御手段は、過去の再生又は記録状況に応じて、判別手段のディスク種類判別動作の順序を決定する。これによって、たとえば使用頻度が高いディスク種類に対応する判別動作が判別手段によって実行され、そのディスク種類が判別されたとき、そのディスク種類の判別動作をそのまま継続して再生又は記録の動作に移行することができるので、前述の先行技術に関連して述べた各種類毎のディスクの起動動作を、たとえば２回、行う必要がなくなる。したがってディスクの再生又は記録にあたり、起動に要する時間を短縮することができる。
さらに、判別制御手段は、ディスクの各種類に対応する前述の判別動作のうち、再生又は記録が行われる可能性が大きいディスク種類に対応する判別動作を、複数の時間順次的な判別動作の実行にあたり、最後に実行させる。したがって判別された種類が、再生又は記録が行われる可能性が大きいディスク種類に一致しているとき、最後に実行された判別動作をそのまま継続して再生又は記録の動作に移行することができ、前述の先行技術に関連して述べた各種類毎のディスクの起動動作を、たとえば２回、行う必要がなくなる。たとえば再生又は記録が行われる可能性が大きいディスクが、ＤＶＤであって、このＤＶＤが装填されてＤＶＤの種類が判別されたとき、ＤＶＤに対応するレーザ源が、種類判別のために最後に駆動され、そのＤＶＤに対応するレーザ源がそのまま駆動された状態で、再生又は記録動作を引続き行うことができる。したがって使用頻度が高いディスクの再生又は記録にあたり、起動に要する時間を短縮することができる。
【００２１】
【発明の実施の形態】
図１は、本発明の実施の一形態のディスク再生装置の全体の構成を簡略化して示すブロック図である。コンパクトディスク（ＣＤ）およびデジタルビデオディスク（ＤＶＤ）であるディスクに記録されている情報は、光ピックアップ２によって読取られる。光ピックアップ２内の受光素子３は、読取手段である４つの受光部分Ａ〜Ｄに分割されており、各受光部分Ａ〜Ｄの出力信号は、それぞれ増幅器４〜７に与えられる。増幅器４，６からの出力信号ａ，ｃは、加算器８に与えられて加算され、出力信号（ａ＋ｃ）として導出される。同様に増幅器５，７の出力信号ｂ，ｄは、加算器９に与えられて加算され、出力信号（ｂ＋ｄ）として導出される。
【００２２】
加算器８，９からの出力信号（ａ＋ｃ），（ｃ＋ｄ）は、加算器１０に与えられて出力信号（ａ＋ｂ＋ｃ＋ｄ）として、ゲインが可変である増幅器１６に与えられ、等化器１７から、マイクロコンピュータなどによって実現されるデータ処理回路１８に入力される。これによってライン１１からは、ディスク１に出力されているデジタル信号が復号化され、音響信号などのアナログ信号として導出される。
【００２３】
増幅器４〜７からの出力信号ａ〜ｄはまた、フォーカシングエラー検出回路２０に与えられる。増幅器５，６の出力信号ｂ，ｃは加算器２１に与えられ、増幅器４，７の出力信号ａ，ｄは加算器２２に与えられる。加算器２１，２２からの出力信号は、ゲインがそれぞれ可変である増幅器２３，２４に与えられる。これらの増幅器２３，２４の出力は、減算器２５に与えられる。
【００２４】
減算器２５からの出力信号は光ピックアップ２の合焦点からのずれ量に対応した値であり、この出力信号はゲインが可変である増幅器２６を介して、等化器２９に与えられる。この等化器２９の出力は、駆動回路２７に与えられる。これによってアクチュエータコイル２８が駆動されて、光ピックアップ２内の対物レンズ５１（後述の図２参照）がディスク１の記録面に対して垂直方向に移動され、光ピックアップ２が合焦状態とされ、こうしてフォーカシングサーボが実現される。
【００２５】
加算器８，９の出力信号（ａ＋ｃ），（ｂ＋ｄ）はまた、トラッキングエラー検出回路３０のゲインが可変である増幅器３２，３３に与えられる。これらの増幅器３２，３３の出力は減算器３４に与えられる。
【００２６】
減算器３４の出力は、ゲインが可変である増幅器３５に与えられ、さらに等化器３６に与えられる。増幅器３５の出力によって、信号（ａ＋ｃ），（ｂ＋ｄ）の相対的な位相を有する出力が与えられ、この位相差が、等化器３６に与えられ、この位相差は、トラッキングエラーに対応している。等化器３６の出力は駆動回路４２に与えられる。これによってアクチュエータコイル４３が駆動されて、光ピックアップ２がコンパクトディスク１とは平行に、かつ後述するトラック７０とは垂直な方向に変位され、こうしてトラッキングサーボが実現される。サーボ制御回路３１において、増幅器２６と等化器２９は、フォーカシングサーボ系を構成し、増幅器３５と等化器３６とはトラッキングサーボ系を構成する。
【００２７】
サーボ制御回路３１は、マイクロコンピュータなどによって実現される処理回路１２を備え、これによって増幅器２６，３５のサーボ制御が行われるとともに、等化器２９，３６の制御が行われる。ディスク１のトラック７０が、矢符７１方向に走行すると、この走行方向７１上流側に配置された受光部分Ａ，Ｄによって、先ずトラック７０の反射光が検出される。このときトラック７０が受光部分Ｃ，Ｄ側にずれていると、反射率の低いピット７２が受光部分Ａ，Ｄにさしかかったとき、受光部分Ｄの受光量よりも受光部分Ａの受光量の方が大きく、またピット７２が受光部分Ａ，Ｄを通過して受光部分Ｂ，Ｃにさしかかったときには、受光部分Ｃの受光量よりも受光部分Ｂの受光量が大きくなる。このようなトラック７０のずれ量に対応して、光ピックアップ２のトラッキングサーボ動作を行うことができる。こうしてフォーカシングサーボが実現された後、トラッキングサーボが実現され、ディスク１のデータの再生が行われる。
【００２８】
図２は、図１に示される光ピックアップ２の一部の分解斜視図である。この光ピックアップ２は、ディスク１の種類であるＣＤに対応する第１レーザ源４５と、もう１つの種類であるＤＶＤに対応する第２レーザ源４６とを含む。第２レーザ源４６から発生されるレーザ光は、第１レーザ源４５から発生されるレーザ光に比べて波長が短く、しかも大出力である。これらの第１および第２レーザ源４５，４６からのレーザ光は、ダイクロイックプリズム４７から、コリメートレンズ４８を経て、さらにミラー４９を経て、波長選択開口部材５から対物レンズ５１に与えられる。対物レンズ５１からのレーザ光は、ディスク１の記録面に照射される。ディスク１からの反射光は、図１に示される受光素子３によって受光される。
【００２９】
再び図１を参照して、光ピックアップ２は、駆動手段１５によってディスク１の半径方向に往復移動される。ディスク１は、その軸線まわりに回転駆動手段１３によって回転駆動される。ディスク１が本件ディスク再生装置の挿排口に装着されているかどうかは、挿排検出手段３７によって検出される。ディスク１の外径が８ｃｍφであるかまたは１２ｃｍφであるかは、形状検出手段３８によって検出される。光ピックアップ２が、ディスク１の半径方向最内方のたとえばリードイン領域に対応する原点位置に到達しているかどうかは、原点検出手段３９によって検出される。
【００３０】
マイクロコンピュータなどによって実現される処理回路５３は、増幅器４〜７の出力に応答し、さらに操作者が操作されるキースイッチなどの入力手段５４からの出力に応答し、フォーカシングエラー検出回路２０およびトラッキングエラー検出回路３０にそれぞれ備えられている増幅器２３，２４；３２，３３のゲインをディスク１の種類に対応するなどして、個別的に変化調整するとともに、サーボ制御回路３１に備えられているフォーカシングサーボ系の増幅器２６およびトラッキングサーボ系の増幅器３５のゲインをそれぞれ変化して調整することができる。このサーボ制御回路３１に備えられている処理回路１２は、各回路２０，３０の出力に応答し、増幅器２３，２４のゲインのバランスを制御するとともに、増幅器３２，３３のゲインのバランスを制御する。
【００３１】
処理回路５３には、メモリ手段５５が備えられる。メモリ手段５５は、個別的なメモリＭ１〜Ｍ３を備える。処理回路５３は、判別手段、判別制御手段、検出手段および再生記録制御手段として機能する。また処理回路５３は、判別制御装置として機能する。
【００３２】
図３は、処理回路５３の動作を説明するためのフローチャートである。この図３におけるステップｅ２〜ｅ４は、形状検出手段３８または入力手段５４によって指定されたディスク１のＣＤまたはＤＶＤの種類によって行う動作５７を示す。ステップｅ５〜ｅ７は、ディスク１が、挿排検出手段３７によって挿排口から一旦、取出されて交換され、または再び同一のディスクがそのまま、装填されたときの再生の動作５８を示す。ステップｅ８〜ｅ１４は、本発明の考え方に従うディスク１の種類判別を行う動作５９を示す。ステップｅ１５〜ｅ１８は、ディスク１の種類が判別された後、その種類が判別された後の種類のディスクの再生が完了しないときにおける動作６０を示す。処理回路５３は、このような図３の動作５７〜６０を実行する。
【００３３】
図３のステップｅ１からステップｅ２に移り、本件ディスク再生装置において装填されたディスク１が、形状検出手段３８によって外径が８ｃｍφであることが検出され、したがってディスク１がＣＤであることが検出されたとき、または入力手段５４によって操作者が、装填されたディスク１が、ＣＤまたはＤＶＤであることが入力されたとき、処理回路５３は、ステップｅ３において、その指定されたディスク１の種類を判別することなく、ディスク再生のための起動動作を行い、すなわちその指定された種類のＣＤまたはＤＶＤに対応して、第１または第２レーザ源４５，４６を駆動し、ステップｅ４においてディスク１の再生動作を行う。このように再生されたディスク１の種類であるＣＤまたはＤＶＤは、メモリＭ３にストアされる。
【００３４】
前述のステップｅ２において、ディスク１の形状検出手段３８によるＣＤの検出が行われておらず、また入力手段５４によるディスクの種類の入力が行われていないときには、ステップｅ５に移り、挿排検出手段３７によってディスク１が、本件ディスク再生装置の挿排口から取出されることなく、再び装填されてリロードされたかどうか判断される。ディスク１が変更されていなければ、ステップｅ５からステップｅ６に移り、メモリＭ３にストアされているディスク１の種類を読出し、ステップｅ７では、その読出されたディスクの種類に対応した再生動作が行われる。
【００３５】
ステップｅ５において、ディスク１が、挿排口から一旦取出され、その後、再び同一または他のディスクが挿入されて交換されたかどうかが、挿排検出手段３７の出力によって得られる。メモリＭ２には、ディスク１の種類判別のために、再生される可能性が最大である使用頻度が最も高いディスク１の種類を最後となるように、また再生される可能性が最小である使用頻度が最も少ない種類、たとえばこの実施の形態ではＣＤが最初になるように、可能性が小さいものから大きいものに順次的に、判別用動作が設定されている。たとえばこの実施の形態では、ＤＶＤが再生される可能性が、ＣＤの可能性よりも大きいとき、先ずステップｅ９では、そのＣＤに対応した第１レーザ源４５が駆動され、また次のステップｅ１０では、ＤＶＤに対応した第２レーザ源４６が駆動される。ディスク１が一旦、取出され、その後、再び同一または他のディスク１が装填され、しかも形状検出手段３８によって外径８ｃｍφのＣＤでないことが検出されたとき、ステップｅ２，ｅ５からステップｅ９に移り、その装填されたディスク１が、ＣＤまたはＤＶＤのいずれの種類であるかを判断するために、先ずステップｅ９では、ＣＤに対応した第１レーザ源４５が駆動され、光ピックアップ２によるフォーカスサーチ動作が行われ、受光素子３による反射光のレベルが、第１メモリＭ１にストアされる。
【００３６】
ステップｅ１０では、ＤＶＤに対応した第２レーザ源４６が駆動され、フォーカスサーチ動作が行われ、そのときに得られる受光素子３による反射光のレベルを、メモリＭ１にストアする。
【００３７】
ステップｅ１１では、前述のステップｅ９，ｅ１０で検出された受光素子３の出力レベルのメモリＭ１にそれぞれストアされている最大値Ｌ１，Ｌ２がいずれも、式１、式２のように予め定めるしきい値Ｌ０１，Ｌ０２未満であるかが判断される。
Ｌ１＜Ｌ０１                                            …（１）
Ｌ２＜Ｌ０２                                            …（２）
【００３８】
第１レーザ源４５をステップｅ９で駆動し、受光素子３によって得られる出力レベルの最大値Ｌ１が、しきい値Ｌ０１未満であって、前述の式１が成立し、しかも第２レーザ源４６がステップｅ１０で駆動されて受光素子３によって得られる出力レベルの最大値Ｌ２が、もう１つのしきい値Ｌ０２未満であって式２が成立するとき、ステップｅ１２に移り、処理回路５３は、フォーカシングエラー検出回路２０およびトラッキングエラー検出回路３０に備えられている増幅器２３，２４；３２，３３のゲインを、予め定める最小のゲインの初期値から、予め定めるΔＧだけ増加し、再びステップｅ９に戻る。このような動作を繰返し、前述の式１，２が成立せず、第１および第２レーザ源４５，４６の駆動による受光素子３の出力レベルが、いずれも、しきい値Ｌ０１，Ｌ０２以上であるとき、ステップｅ１１からステップｅ１３に移る。
【００３９】
ステップｅ１３では、前述のステップｅ９，ｅ１０で第１および第２レーザ源４５，４６が駆動されることによって得られた受光素子３の出力レベルを演算し、これによって装填されたディスク１が、ＣＤまたはＤＶＤのいずれであるかが判別され、その判別結果が、メモリＭ３にストアされる。このディスクの種類の判別の一例を述べると、光ピックアップ２の第１レーザ源４５を用いてＣＤの再生状態にして上述のようにフォーカスサーチ動作を行い、このとき得られる受光素子３の出力の最大値および最小値を検出し、これらの最大値と最小値の第１の差を求めるとともに、光ピックアップ２を、第２レーザ源４６の駆動によってＤＶＤの再生状態にしてフォーカスサーチ動作を行い、このとき受光素子３から得られる出力レベルの最大値および最小値を検出し、その最大値と最小値の第２の差を求め、こうして得られた第１および第２の差の比を、予め定める値と比較することによって、装填されたディスク１がＣＤであるかまたはＤＶＤであるかを判別することができる。ディスク１の種類の判別のために、そのほかの演算動作が行われてもよい。
【００４０】
ステップｅ１４では、ディスク１の種類の判別結果が得られた後、増幅器２３，２４；３２，３３のゲインが、その判別されたＣＤまたはＤＶＤの種類に対応した値に、粗調整される。これによってフォーカシングエラー検出回路２０およびトラッキングエラー検出回路３０は、装填されたディスク１がＣＤまたはＤＶＤの種類に対応して、フォーカシングサーボ系およびトラッキングサーボ系が、サーボ外れを生じることなく、フォーカシング動作およびトラッキング動作が正確に行われることができるようになる。
【００４１】
ステップｅ１５では、判別されたＣＤまたはＤＶＤの種類に対応して、種類判別動作から、再生動作に移行する。ステップｅ１６において、再生動作への移行が達成されて再生動作が成功したとき、ステップｅ１９に移る。再生動作が成功せず、完了しないとき、ステップｅ１７に移る。
【００４２】
再生動作がステップｅ１６において成功せず、再生動作に移行できないときというのは、たとえばディスク１の出力データが、データ処理手段１８によって正しく読出すことができないとき、フォーカスサーボ系によるフォーカスサーチ動作が、再生移行中に、サーボ外れが生じてしまうとき、または再生に失敗して、繰返しリトライしても調整が完了せず、そのようなリトライ動作が予め定める時間以上長くかかるとき、またはリトライ回数が予め定める値以上になるときなどが挙げられる。再生動作の完了は、ディスク１のリードイン領域におけるＴＯＣ（Table of Contents）情報の読取りが実現されたときである。
【００４３】
ステップｅ１６において、ディスク１の再生が成功しないとき、次のステップｅ１７に移り、メモリＭ３の読出しによって、現在再生動作されようとしているディスク１の種類が、ＤＶＤであるかが判断される。ＤＶＤであれば、すなわち第２レーザ源４６の駆動が行われていれば、次のステップｅ１８では、ＣＤの再生に設定変更を行い、第１レーザ源４５を駆動し、ＣＤに対応した再生動作を、ステップｅ１５に戻って行う。ステップｅ１７において、現在の再生されようとしているディスク１が、ＤＶＤでないとき、すなわちＣＤであると判断されているとき、再びステップｅ１５に戻り、第１レーザ源４５の駆動のままで、再生動作を試る。こうしてディスク１の判別結果がたとえ誤っていたとしても、ディスク１に、第２レーザ源４６による比較的大出力のレーザ光が照射されることが防がれ、たとえばディスク１がＣＤ−Ｒであるときにおける出力内容の光学的な損傷を回避することができる。
【００４４】
図４は、挿排検出手段３７による処理回路５３のディスク１の種類の指定動作を説明するためのフローチャートである。ステップｆ１からステップｆ２に移り、挿排検出手段３７によって、ディスク１が挿排口から一旦取出されたかどうかが判断される。ディスク１が一旦外部に取出されると、ステップｆ３では、メモリＭ３のストア内容を消去し、ディスク１の種類を表す判別結果を消去する。ディスク１が挿排口に移動されても、そのディスク１が挿排口から離脱して取出されない状態であれば、挿排検出手段３７はディスク１の交換を検出せず、したがってステップｆ４では、メモリＭ３にストアされているディスク１の種類を表す判別結果をストアしたままに保つ。したがって次にディスク１が装填されて再生されるに先立ち、そのメモリＭ３のストア内容を、そのまま用いて、図３のステップｅ２，ｅ３からステップｅ４に移り、再生動作を行うことができる。図３のステップｅ３では、このようなメモリＭ３のストア内容を読出すことによって、ディスク１の図３に示される種類判別動作５９を行うべきかどうかが判断されることになる。
【００４５】
図５は、ディスク１のための形状検出手段３８の出力に応答する処理回路５３の動作を説明するフローチャートである。ステップｇ１からステップｇ２に移り、形状検出手段３８によって外径８ｃｍφのＣＤであるかどうか判断される。ＣＤであることが、形状検出手段３８によって検出されたとき、ステップｇ２からステップｇ３に移り、ディスク１の種類がＣＤであるものと判断され、前述の図３のステップｅ３からステップｅ４に移り、ＣＤの再生動作が行われる。形状検出手段３８によってディスク１の外径が８ｃｍφではないことが検出されるとき、すなわち外径１２ｃｍφのＣＤまたはＤＶＤであるものと判断されたときには、ステップｇ４に移り、前述の図３のステップｅ２からステップｅ５以降の動作が行われ、ディスク１の種類判別動作５９が実行されることになる。
【００４６】
図６は、ディスク１の再生動作が成功したかどうかを判断するための処理回路５３の動作を説明するためのフローチャートである。ステップｈ１からステップｈ２に移り、装填されたディスク１のフォーカスサーチ動作が行われ、ステップｈ３において再生動作が成功していなければ、すなわちデータ処理回路１８によるディスク１のデータが読出されなければ、次のステップｈ４に移る。こうしてステップｈ４では、再生動作が成功しない回数を計数し、その計数値が予め定める所定回数以上になったかどうかが判断される。所定回数以上、再生動作を繰返し、それでも、再生動作が成功しなければ、ステップｈ５に移る。ステップｈ５では、処理回路５３は駆動回路１５を動作させて、光ピックアップ２を、原点検出手段３９によって検出されるまで半径方向内方の原点に戻る。その後、再びステップｈ２においてフォーカスサーチ動作を行い、原点位置におけるディスク１のリードイン領域にストアされたデータ、たとえばディスク１の種類を表す情報を読出し、その読出した種類に基づき、再生動作を行う。本発明の実施の他の形態では、このような図６に示される動作が、実行されてもよい。
【００４７】
図７は、処理回路５３によるメモリＭ２にストアされる使用の可能が最大であるディスク１の種類を選ぶ動作を説明するためのフローチャートである。ステップｊ１からステップｊ２に移り、ディスク１の再生回数を、ＣＤおよびＤＶＤの種類に対応してそれぞれ計数する。ステップｊ３では、これらの各種類毎の再生回数の最大の種類、たとえばＤＶＤを、選ぶとともに、その使用回数の最小から最大までの順序を決定する。こうして順序が決定されたディスク１の種類を、再生される可能性が最大である種類を最後となるようにして順序付けて、メモリＭ２に、その種類をストアする。こうして前述の図３のステップｅ８では、メモリＭ２のストア内容を読出すことによって、再生される可能性の最小のものから最大のものへ、順次的に各種類に対応した判別用動作、すなわち第１および第２レーザ源４５，４６の順次的な駆動の動作などが、後続のステップｅ９，ｅ１０において実行されることになる。
【００４８】
本発明の実施の他の形態では、ディスク１は、たとえばナビゲーションシステムにおける地図データをストアしたＤＶＤであるとき、入力手段５４によって、ＤＶＤの種類が設定され、これによって前述の図３のステップｅ２からステップｅ３以降に移り、ディスク１の種類を判別する動作の実行を省略し、ディスク１の再生開始までの時間を短縮することができる。
【００４９】
本発明は、ディスク１の再生だけでなく、記録を行うことができる装置に関連してもまた、実施することができる。
【００５０】
【発明の効果】
請求項１の本発明によれば、判別手段は、ディスク種類の判別動作を順次行い、判別制御手段は、再生又は記録が行われるディスク種類を予想し、予想結果に基づいて、判別手段のディスク種類判別動作の順序を決定するので、再生又は記録が行われるディスク種類として判別制御手段によって予想されたディスク種類に対応する判別動作が判別手段によって実行され、そのディスク種類が判別されたとき、そのディスク種類の判別動作をそのまま継続して再生または記録の動作に移行することができ、ディスクの再生または記録動作の開始までの時間を短縮することができる。
【００５１】
また、判別制御手段は、ディスクの各種類に対応する前述の判別動作のうち、再生又は記録が行われる可能性が大きいディスク種類に対応する判別動作を、最後に行わせるので、その再生又は記録が行われる可能性が大きい種類のディスクの再生又は記録動作の開始までの時間を短縮することができる。
【００５２】
請求項２の本発明によれば、複数のレーザ源は、ディスクの各種類に対応するレーザ光を照射し、判別手段は、判別動作では、複数のレーザ源を順次駆動するので、ディスクの反射率が近似していても、種類判別を正確に行うことができる。
【００５４】
請求項３の本発明によれば、ディスクの種類の判別を行った後、その判別されたディスクの再生又は記録動作が行えないことを検出手段が検出したときには、再生記録制御手段がレーザ源を切り替えて再生又は記録動作を行わせるので、ディスクの種類の判別が誤りであっても、ディスクの再生又は記録動作を行うことができる。
【００５５】
請求項４の本発明によれば、再生又は記録が行われるディスク種類を予想し、予想結果に基づいて、判別手段のディスク種類判別動作の順序を決定し、ディスク種類の判別動作を順次行う判別手段に判別動作指示を出力するので、再生又は記録が行われるディスク種類として予想されたディスク種類に対応する判別動作が判別手段によって実行され、そのディスク種類が判別されたとき、そのディスク種類の判別動作をそのまま継続して再生又は記録の動作に移行することができ、ディスクの再生又は記録動作の開始までの時間を短縮することができる。
さらに、ディスクの各種類に対応する前述の判別動作のうち、再生又は記録が行われる可能性が大きいディスク種類に対応する判別動作を、最後に行わせるので、その再生又は記録が行われる可能性が大きい種類のディスクの再生又は記録動作の開始までの時間を短縮することができる。
【００５６】
請求項５の本発明によれば、判別手段は、ディスク種類の判別動作を順次行い、判別制御手段は、過去の再生又は記録状況に応じて、判別手段のディスク種類判別動作の順序を決定するので、たとえば使用頻度が高いディスク種類に対応する判別動作が判別手段によって実行され、そのディスク種類が判別されたとき、そのディスク種類の判別動作をそのまま継続して再生又は記録の動作に移行することができ、ディスクの再生又は記録動作の開始までの時間を短縮することができる。
さらに、判別制御手段は、ディスクの各種類に対応する前述の判別動作のうち、再生又は記録が行われる可能性が大きいディスク種類に対応する判別動作を、最後に行わせるので、その再生又は記録が行われる可能性が大きい種類のディスクの再生又は記録動作の開始までの時間を短縮することができる。
【図面の簡単な説明】
【図１】本発明の実施の一形態のディスク再生装置の全体の構成を簡略化して示すブロック図である。
【図２】図１に示される光ピックアップ２の一部の分解斜視図である。
【図３】処理回路５３の動作を説明するためのフローチャートである。
【図４】挿排検出手段３７による処理回路５３のディスク１の種類の指定動作を説明するためのフローチャートである。
【図５】ディスク１のための形状検出手段３８の出力に応答する処理回路５３の動作を説明するフローチャートである。
【図６】ディスク１の再生動作が成功したかどうかを判断するための処理回路５３の動作を説明するためのフローチャートである。
【図７】処理回路５３によるメモリＭ２にストアされる使用の可能が最大であるディスク１の種類を選ぶ動作を説明するためのフローチャートである。
【符号の説明】
１  ディスク
２  光ピックアップ
３  受光素子
２０  フォーカシングエラー検出回路
２３，２４，２６；３２，３３，３５  増幅器
３０  トラッキングエラー検出回路
３７  挿排検出手段
３８  形状検出手段
４５  第１レーザ源
４６  第２レーザ源
５３  処理回路
５４  入力手段
５５  メモリ手段
Ｍ１〜Ｍ３  メモリ
【図１】
0004607282.tif 000002
【図２】
0004607282.tif 000003
【図３】
0004607282.tif 000004
【図４】
0004607282.tif 000005
【図５】
0004607282.tif 000006
【図６】
0004607282.tif 000007
【図７】
0004607282.tif 000008